(57)【特許請求の範囲】
【請求項１】
外側リング状金属部であるリングと、
プラスチックから形成され、前記リング内に配置される内側ディスク状部であるコアとを備え、前記リングと前記コアとが噛み合いによる嵌合によって互いに圧着されたマルチパート代用硬貨であって、
前記コアが、多層積層体（２）となるように接合されるプラスチック材料からなる複数の膜を備え、
前記多層積層体（２）が、金属膜（７）又はＲＦＩＤトランスポンダ膜（７’）が内部に設けられるコア膜（６）を備え、
前記多層積層体が、前記コア膜の両側に配置される被覆膜（３）をさらに備え、
前記多層積層体（２）が、視覚的に識別可能なセキュリティ特徴を備えるマルチパート代用硬貨。
【請求項２】
前記多層積層体（２）が、前記コア膜（６）の両側において、前記コア膜（６）と前記被覆膜（３）との間に設けられた追加の膜を備え、
前記追加の膜が、視覚的に識別可能なセキュリティ特徴を備える請求項１記載のマルチパート代用硬貨。
【請求項３】
前記多層積層体（２）が、複数の異なるプラスチック材料から形成されている請求項１記載のマルチパート代用硬貨。
【請求項４】
前記多層積層体（２）が、既製の多層構造であるサンドイッチ膜を備える請求項１記載のマルチパート代用硬貨。
【請求項５】
前記多層積層体（２）が、透明、半透明、又は乳白色の性質と、活性化可能な顔料効果とを備える請求項１記載のマルチパート代用硬貨。
【請求項６】
前記視覚的に識別可能なセキュリティ特徴が、赤外スペクトル帯域又は紫外スペクトル帯域において、活性化可能な顔料を備える請求項２記載のマルチパート代用硬貨。
【請求項７】
前記プラスチック材料が、ポリカーボネート、ポリエチレンテレフタレート、ポリ塩化ビニル、アクリロニトリルブタジエンスチレンコポリマを備え、それぞれが単一層又は複数層の組み合せとして用いられる請求項１又は３記載のマルチパート代用硬貨。
【請求項８】
前記多層積層体（２）が、赤外及び／又は紫外スペクトル帯域において、視覚的に活性化可能な複数の粒子を備える請求項１又は５記載のマルチパート代用硬貨。
【請求項９】
前記多層積層体（２）が、前記コア膜（６）の両側において、前記コア膜（６）と前記被覆膜（３）との間に設けられた印刷膜（５）及びホログラム膜（４）を備える請求項１記載のマルチパート代用硬貨。
【請求項１０】
前記リング（１）が、磁気的に認識可能な金属を備える請求項１記載のマルチパート代用硬貨。
【発明の詳細な説明】
【技術分野】
【０００１】
本実施形態は、外側リング状金属部品と、プラスチック製の内側ディスク状コアとを含む、例えば２部品構成等のマルチパート（多部品構成）の代用硬貨（token coin or token）に関する。
【背景技術】
【０００２】
この代用硬貨の構成要素は、噛み合いによる嵌合（positive  and  non  positive  engagement）で、すなわちフォームクロージャ（形状拘束（form  closure））及び摩擦接合によってそれぞれが接合される。外側リングと内側コア（タブレット）から構成され、２つの異なる金属又は合金が接合されたバイメタル代用硬貨は国際的に普及している。一般的に既知であるのは、ＣｕＮｉ２５とＣｕＺｎ２ＯＮｉ５とから構成された１ユーロ及び２ユーロ硬貨である。
【０００３】
導電率及び抵抗の電気測定データに基づいて稼働されるスロットマシンにおいて、これらのユーロ代用硬貨の識別に関する誤り率は非常に小さい。しかしながら、合金の色差はほんのわずかであり、額面価格の光学的な識別性は、必ずしも付与されていない。このため、特に不良な照明状況下では、手作業での金銭取引で誤りが発生する場合が多い。
【０００４】
外国の又は偽造された硬貨及び代用硬貨の意図的又は偶発的な使用に対するセキュリティの向上のために、金属リングとプラスチック製のディスクとが接合された２部品構成の硬貨及び代用硬貨が提案されている。
【０００５】
特許文献１及び特許文献２によると、金属リングとプラスチック製のディスクとが接合され、ＩＣチップ形式又はＲＦＩＤトランスポンダ形式の電子装置が埋め込まれている。したがって、スロットマシンにおける電子リーダでの識別は完璧に実行されるが、これらの電子部品は視覚的に観察できないため、通常、主に手作業の金銭取引と関連性がなく、額面価格の明確な識別と確認にはいまだに慎重を要し、偽造された硬貨又は正当な外国代用硬貨が原因で額面価格の混同を排除することができない。これは、代用硬貨が主として市場（market  places）やバザーなどの不良な照明状況下で交換される場合に、特に当てはまる。光学特性により代用硬貨を識別及び選別する計数装置の使用も、上記の理由により、確実ではない。
【先行技術文献】
【特許文献】
【０００６】
【特許文献１】特開２００３−３３１２５０号公報
【特許文献２】特開２００６−０４８４９８号公報
【発明の概要】
【発明が解決しようとする課題】
【０００７】
本発明の主目的は、光学検査装置によって代用硬貨の額面価格の識別を確実に行い、主に手作業の金銭取引において視認性の高い安定性（セキュリティー）を確保する代用硬貨を提供することである。
【課題を解決するための手段】
【０００８】
本実施形態によれば、マルチパート代用硬貨は、金属リングと、このリング内に同心上に配置されるプラスチック製コアとを備え、代用硬貨の部品が、相互にポジティブ及び非ポジティブに圧着されている。そして、このマルチパート代用硬貨のプラスチック製コアが、複数の膜又は箔を有し、相互に接続されて積層体とされたサンドイッチ構造から形成され、前記積層体が、視覚的に識別可能なセキュリティ特徴を備える。前記積層体は、任意で金属膜又はＲＦＩＤトランスポンダ膜を埋め込んだコア膜を備えることができる。硬貨に含まれる被覆膜は、前記コア膜の両側に配置されることによって、前記コアの強度又は膜厚を代用硬貨の強度又は膜厚に調節することができる。前記コア膜の両側には、コア膜と被覆膜との間に追加の膜を配置することができ、当該追加の膜は、視覚的に識別可能なセキュリティ特徴を含む。
【０００９】
一実施形態によると、光学的セキュリティ特徴を保持する又は含む膜は、印刷工程で作製されるホログラム及び／又はマーク、及び／又は、赤外及び／又は紫外放射によって活性化可能な顔料を含み、特定の代用硬貨のための専用の特徴が視覚的に容易に認識可能であり、プログラムで制御できる光学検査装置を用いて明確に識別可能である膜である。前記積層複合プラスチック製コアは、好ましくは、複数のプラスチック材料から形成されたサンドイッチ膜として予め作製される。一実施形態によれば、前記プラスチック製コアは、例えば５つの膜を備えることができる。
【００１０】
一実施形態によれば、前記プラスチック製コアは、好ましくは、透明、半透明（透光性）、又は乳白色の性質を有し、電磁放射によって活性化可能な色彩効果を有する。前記積層複合体は、好ましくは、プラスチックとして、ポリカーボネート、ポリエチレンテレフタレート、ポリ塩化ビニル、アクリロニトリルブタジエンスチレンコポリマを備え、それぞれが単独及び層的な組み合わせの両方で使用される。前記代用硬貨は、例えば２部構成であってもよい。
【図面の簡単な説明】
【００１１】
【図１】金属リング１と、積層体２からなるプラスチック製コアとから構成される２部構成の代用硬貨の断面図。
【図２】金属リング１と積層体２からなるプラスチック製コアとから構成される２部構成の代用硬貨であって、金属膜７がコア膜６に組み込まれている代用硬貨の断面図。
【図３】一実施形態に係る代用硬貨の平面図。
【発明を実施するための形態】
【００１２】
本発明に係る代用硬貨を、以下の実施形態において説明する。
を示す。
【００１３】
図２によれば、２部構成の代用硬貨は、金属リング１と、安定した積層体２から形成されたプラスチックコアとを備える。サンドイッチ状構造で堅固に接合された積層体２は、コア膜６の両側にそれぞれ配置された印刷膜５、ホログラム膜４及び被覆膜３を備える。この代用硬貨を電磁的に識別可能にするために、前記コア膜６の内部に金属膜７又はＲＦＩＤトランスポンダ膜７’を組み込むことができる。
【００１４】
図１によれば、２部構成の代用硬貨は、金属リング１と、堅固に接合された積層体２から形成されたプラスチックコアとを備え、積層体２は、サンドイッチ構造で、コア膜６と、コア膜６の両側に配置された印刷膜５、ホログラム膜４及び被覆膜３とを備える。
【００１５】
図３は、一実施形態に係る代用硬貨の平面図を示している。代用硬貨は、外側リング状金属部であるリング１と、プラスチックから形成された内側部であるコア２とを備える。このコア２は、任意の外形を有することができ、例えば円形であってもよい。前記リング１は、コア２を保持する中空部を備える。リング１内の中空部は、コア２に応じた形状とされている。したがって、コア２は、リング１の内部に配置される。コア２とリング１とは、互いに同心上に配置される。リング１内の中空部は、リング１の中心から外れた位置に配置することもでき、その場合、コア２とリング１とは同心上ではない。
【００１６】
本発明によると、２部構成の代用硬貨は、光学的特徴の設計において高度の可変性を有するので、手作業の金銭取引において不良な照明状況下であっても額面価格の視覚的な識別に対して極めて高い安定性（セキュリティー）を確保する。経済的な理由から、図１に示される実施形態の代用硬貨は低い額面価格に特に適し、図２に示される実施形態の代用硬貨は好ましくは高い額面価格に充てられる。本発明は、支払い手段としての代用硬貨だけではなく、チップやその他同種類の代用硬貨も対象とする。
【符号の説明】
【００１７】
１    金属リング
２    積層体からなるプラスチック製コア
３    被覆膜（オーバレイ）
４    ホログラム膜
５    印刷膜
６    コア膜
７    金属膜
７’  ＲＦＩＤトランスポンダ膜
【図１】
0005735173.tif 000002
【図２】
0005735173.tif 000003
【図３】
0005735173.tif 000004